(57)【特許請求の範囲】
【請求項１】
両側壁(３)に固定され、各々が固定されたガイドレール(１１)、該ガイドレール(１１)上に移動可能に取り付けられた中間レール(１２)、該中間レール(１２)上に移動可能に取り付けられた走行用レール(１３)を備えた２つの引き出しガイド(１０)を備え、該２つの引き出しガイド(１０)の２つの走行用レール(１３)上に第１のスライド要素(５)が保持されたスライディングアセンブリにおいて、
２つの引き出しガイド(１０)の２つの中間レール(１２)上に第２のスライド要素(６)が保持され、
前記第１及び第２のスライド要素(５、６)は、引き出しとして形成され、
第１及び第２のスライド要素(５、６)の最大展開位置にて、第１のスライド要素(５)は第２のスライド要素(６)の前に完全に位置する、スライディングアセンブリ。
【請求項２】
前記中間レール(１２)に対する前記走行用レール(１３)の動作は、同期手段(２１、２２、２３)によって少なくとも１つの引き出しガイド(１０)と同期する、請求項１に記載のスライディングアセンブリ。
【請求項３】
少なくとも１つの引き出しガイド(１０)と同期すべく、ケーブル引き具(２３)が配備された、請求項２に記載のスライディングアセンブリ。
【請求項４】
前記走行用レール(１３)上の保持具(１５)に第１のスライド要素(５)が固定され、及び/又は前記中間レール(１２)の保持具(１６)上に第２のスライド要素(６)が固定される、請求項１乃至３の何れかに記載のスライディングアセンブリ。
【請求項５】
前記第１のスライド要素(５)及び/又は第２のスライド要素(６)は、保持具(１５、１６)と相互作用する、請求項４に記載のスライディングアセンブリ。
【請求項６】
前記保持具(１５、１６)は取付けブラケット(１５)として形成され、接続ロッド(１６)として形成され、環状のフレーム又は板として形成される、請求項４又は５に記載のスライディングアセンブリ。
【請求項７】
前記第１のスライド要素(５)は、第２のスライド要素(６)の下方に配置された、請求項１乃至６の何れかに記載のスライディングアセンブリ。
【請求項８】
前記第１のスライド要素(５)の前側にて、駆動要素(７)が上向きに突出している、請求項５に記載のスライディングアセンブリ。
【請求項９】
前記駆動要素(７)は、走行用レール(１３)の両側に固定されている、請求項８に記載のスライディングアセンブリ。
【請求項１０】
前記駆動要素(７)は、第２のスライド要素(６)の前側を少なくとも部分的に越えて突出している、請求項８又は９に記載のスライディングアセンブリ。
【請求項１１】
前記第１のスライド要素(５)は、引き出しガイド(１０)の長手方向にて第２のスライド要素(６)よりも少なくとも２０％だけ短く形成された、請求項１乃至１０の何れかに記載のスライディングアセンブリ。
【請求項１２】
前記走行用レール(１３)は、夫々ガイドレール(１１)の下方に配置された、請求項１乃至１１の何れかに記載のスライディングアセンブリ。
【請求項１３】
請求項１乃至１２の何れか１つ内のスライド要素を備えた、家庭用器具。
【請求項１４】
請求項１乃至１２の何れか１つ内のスライド要素を備えた家具の部分。
【発明の詳細な説明】
【技術分野】
【０００１】
本発明は、スライディングアセンブリに関し、該スライディングアセンブリは両側壁に固定され、各々が静止したガイドレールを備えた２つの引き出しガイドと、ガイドレール上に移動可能に取り付けられる中間レールと、中間レール上に移動可能に取り付けられる走行用(running)レールを備える。家庭用器具又は家具要素と同様に、第１のスライド要素が２つの引き出しガイドの２つの直線状レールに保持される。
【背景技術】
【０００２】
ドイツ公開公報102011505523号は、第１のスライド要素が引き出しガイドに変位可能に取り付けられ、該引き出しガイドはギアを介して第２の引き出しガイドに接続され、該第２の引き出しガイド上に第２のスライド要素が保持される。第２のスライド要素はこのように、第１のスライド要素が変位する時は動かされる。第２の引き出しガイド及びギアの使用は比較的複雑である。特に家庭用器具の場合、利用可能なスペースの量が制限され、第２の引き出しガイド及びギアを備えた引き出しシステムを据え付けるときに、問題をもたらす。
【０００３】
従って、本発明の目的は、コンパクトな方法で配置され２つのスライド要素の効率的な動きが可能となるスライディングアセンブリを提供することにある。
この目的を達成すべく、請求項１の特徴を備えたスライディングアセンブリが提案される。
【発明の概要】
【課題を解決するための手段】
【０００４】
本発明に従って、家具本体又は家庭用器具の両側壁に固定される２つの引き出しガイドが配備され、第１のスライド要素は２つの引き出しガイドの２つの直線状レール上に保持され、第２のスライド要素は２つの引き出しガイドの２つの中間レール上に保持される。２つのスライド要素の変位は、このように２つの引き出しガイドのみを用いて達成される。直線状レールが中間レールに対して相対的に移動する結果、スライド要素は異なる速度及び異なる変位経路を動かされる。
【０００５】
少なくとも１つの引き出しガイド上に同期手段が配備されて、中間レールに対して走行用レールの動作を同期させるのが好ましい。直線状レールは中間レールに対して約２倍の速度で変位し、２倍の距離をカバーするのが好ましい。同期の為に少なくとも１つの引き出しガイド上に各ケーブル引き具が配備されるのが好ましく、両引き出しガイド上に配備されるのが好ましい。ケーブル引き具は中間レールに固定される偏位プーリに亘ってガイドされ、ケーブル引き具を直線状レール及びガイドレールに固定することにより、直線状レールの動きが中間レールと同期することが確実になり、即ち中間レールと走行用レール間のスリップが防止される。歯付きギア又はチェーンギアのような他のタイプの同期手段もまた用いられる。
【０００６】
更なる実施形態に従って、第１のスライド要素は、直線状レールの保持具に逆向きに固定され、及び/又は第２のスライド要素は、中間レールの保持具に逆向きに固定される。スライド要素は保持具に引掛けられ、又は保持具内に置かれる。スライド要素はこのように簡単な方法で取り付けられ又は取り外される。第１のスライド要素は、第２のスライド要素の下方に配置され、保持具に引掛けられ、特に角度保持具に引掛けられる。第２の上スライド要素は保持具に置かれ、例えば２つの中間レール間に配備される接続ロッドに置かれる。接続ロッドは、更に左右の引き出しガイドに対して該左右の引き出しガイドと更に同期する。スライド要素は、第１のスライド要素が保持具上に置かれ、第２のスライド要素が保持具に引掛るような方法で形成される。
【０００７】
保持具は或いは、例えば廃棄物容器用の環状のフレーム、又は外形形状に関わりなく容器を受け入れる板として形成される。板は、容器の各外形に柔軟に調整される調整可能なるロック要素を備えている。
【０００８】
上向きに突出した駆動要素が第１の底スライド要素の前側に配備される。駆動要素は、走行用レールの両側に固定され、ユーザが底スライド要素に向けて完全に下向きに曲げる必要なく、底スライド要素の動作を制御する。駆動要素は第２の上スライド要素の前側を少なくとも部分的に越えて突出し、駆動要素は把持し易く、２つのスライド要素を動かすのに挿入される。駆動要素はＵ字形のブラケットに形成され、その上接続要素は第２のスライド要素の上に配置されたハンドルを形成する。
簡単なハンドリングの為に、スライド要素は引き出し、例えばプラスチック製の引き出しとして形成され、引き出しガイド内に挿入されて、そこから取り外される。
【０００９】
第１の底スライド要素は、引き出しガイドの長手方向にて第２の上スライド要素よりも短く形成され、特に例えば少なくとも２０％だけ短く、又は４０％だけ短い。これにより、スライド要素が展開位置に完全に配置されていないときに、底スライド要素の後部領域へのアクセスが確実になり、取扱いが簡単になる。更に、短い構成の結果、底スライド要素の後側の空間は別の方法で用いられ得る。
【００１０】
２つの引き出しガイドは、変位可能な走行用レールが夫々固定されたガイドレールの下方に配置されるような方法で取り付けられるのが好ましい。スライド要素を保持する角度保持具が走行用レールに固定され得る。
本発明は、家庭用器具、特に冷凍庫に使用されるのが好ましく、スライディングアセンブリは冷蔵区画の２つの底引出しを変位可能に取り付ける。家具要素又は他の家庭用器具のような他の用途も可能である。
第２のスライド要素の上方に第１のスライド要素を配置することも可能であり、例えば台所シンク又は洗面台の下方に棚を配置することも可能である。この場合、走行用レールはガイドレールの上方に配置される。
【図面の簡単な説明】
【００１１】
本発明は、添付の図面を参照することによってより詳細に以下に説明される。
【図１】図１は、閉位置における取り付けられた状態のスライディングアセンブリの斜視図である。
【図２】図２は、部分的に展開した位置における図１のスライディングアセンブリの斜視図である。
【図３】図３は、展開した位置における図１のスライディングアセンブリの斜視図である。
【図４Ａ】閉位置において、スライド要素が無い状態にてスライディングアセンブリの引き出しガイドを示す図である。
【図４Ｂ】閉位置において、スライド要素が無い状態にてスライディングアセンブリの引き出しガイドを示す図である。
【図４Ｃ】閉位置において、スライド要素が無い状態にてスライディングアセンブリの引き出しガイドを示す図である。
【図４Ｄ】閉位置において、スライド要素が無い状態にてスライディングアセンブリの引き出しガイドを示す図である。
【図５Ａ】中間展開位置において、スライディングアセンブリの引き出しガイドを示す図である。
【図５Ｂ】中間展開位置において、スライディングアセンブリの引き出しガイドを示す図である。
【図５Ｃ】中間展開位置において、スライディングアセンブリの引き出しガイドを示す図である。
【図６Ａ】最大展開位置において、スライディングアセンブリの引き出しガイドを示す図である。
【図６Ｂ】最大展開位置において、スライディングアセンブリの引き出しガイドを示す図である。
【図６Ｃ】最大展開位置において、スライディングアセンブリの引き出しガイドを示す図である。
【図７】最大展開位置において、図３のスライディングアセンブリを示す平面図である。
【発明を実施するための形態】
【００１２】
家具又は家庭用器具１の一部は、冷蔵庫又は冷凍冷蔵庫の冷凍区画の本体のような家具本体２を備え、該家具本体２はその上にスライディングアセンブリ４が取り付けられる２つの側壁３を備える。スライディングアセンブリ４は側壁３に直に取り付けられ、又は更なる固定要素を介して取り付けられる。
【００１３】
スライディングアセンブリ４は、第１の底スライド要素５と第２の上スライド要素６を備え、各々は引き出しとして形成され、食物のような品目を格納するのに用いられる。駆動要素７が底スライド要素５に配備され、該駆動要素はＵ字形のブラケットに形成され、２つの垂直脚７０と接続要素７１を備え、該接続要素７１は閉位置にて上スライド要素６の前側上に配置される。接続要素７１はスライディングアセンブリを閉位置から開位置に動かすべく、このように容易に把持される。
【００１４】
図２は、部分的に開いた位置において、家具本体２の外側にあるスライディングアセンブリ４を示す。この目的から、スライディングアセンブリ４の両側に引き出しガイド１０が配備され、該引き出しガイドによってスライド要素５、６が変位される。
図３は、最大展開位置におけるスライディングアセンブリを示す。底スライド要素５は、上スライド要素６の前に完全に位置して、上方から第１の底スライド要素５と第２の上スライド要素６の両方の内部空間へのアクセスが確実になる。
【００１５】
図４Ａ乃至図４Ｄは、閉位置におけるスライディングアセンブリ４の引き出しガイド１０を示す。各引き出しガイド１０は、固定されたガイドレール１１、該ガイドレール１１上を移動可能に取り付けられた中間レール１２、及び中間レール１２上を移動可能に取り付けられた走行用レール１３を備える。中間レール１２及び走行用レール１３を移動可能に取り付けるべく、回転する本体、即ちローラが配備される。
【００１６】
ガイドレール１１は、取付けブラケット１４を介して側壁３に固定され、又は側壁３に接続された要素に固定される。第１の底スライド要素５が走行用レール１３とともに移動可能であることを確実にすべく、保持具１５、好ましくは角度保持具１５が書く走行用レール１３上に配備されて、第１の底スライド要素５が保持具１５に引掛る(hook)ことができる。中間レール１２は接続ロッド１６の形の２つの保持具を介して保持具１５の上で互いに接続され、第２の上スライド要素６が２つの接続ロッド１６上に置かれてそこに固定される。接続ロッド１６は、右側の引き出しガイド１０と左側の引き出しガイド１０の同期した動作を生成する。
【００１７】
走行用レール１３と中間レール１２の同期した動作を得て、走行用レール１３が中間レール１２に対して約２倍の速度で動かされるべく、同期手段が配備され、該同期手段は実施形態では張力架け手段として形成され、ケーブル引き具２３として明確に形成される。ケーブル引き具２３は、偏位プーリ２１、２２の周囲上を案内される。偏位プーリ２１、２２は中間レール１２上に回転可能に取り付けられる。ケーブル引き具２３は離断する(interrupted)ように形成されて、ケーブル引き具２３の一端部は走行用レール１３の第１の接続要素２４に保持され、他端部はガイドレール１０に固定される第２の接続要素３０に保持される。
【００１８】
図４Ｃは、引き出しガイドが、中間レール１２の領域において自己引込み装置２０を備えていることを示し、該自己引込み装置２０は、少なくとも閉位置の直前の領域にてスライディングアセンブリ４を閉位置に向けて予め張力を架ける。自己引込み装置２０は更に、スライディングアセンブリ４の閉鎖動作を減速させるためにダンパを備える。
【００１９】
図４Ｄは、ケーブル引き具２３の第１端部２６を傾斜部２５に固定する為の第１の接続要素２４を示す。第２の傾斜部２７が傾斜部２５に隣接して接続要素２４上に配備され、その上でケーブル引き具２３の第２端部２８が保持される。ケーブル引き具２３の２つの端部は同様の方法で第２の接続要素３０上に固定され、走行用レール１３が引き出し方向に移動時に、ケーブル引き具２３は偏位プーリ２１、２２に亘って動かされ、中間レール１２が走行用レール１３の半分の速度で動かされることを確実にする。
【００２０】
図５Ａ乃至図５Ｃにて、引き出しガイドは中間の引き出し位置にある。ガイドレール１１は家具本体２に固定されたままであり、一方、中間レール１２と走行用レール１３は家具本体２から移動することが判る。保持具１５は接続ロッド１６の下方に配置され、一方、第２の上スライド要素６は接続ロッド１６上に置かれ、スライド要素５、６は互いに移動する。
【００２１】
図６Ａ乃至図６Ｃにて、引き出しガイドは全展開位置に配置される。図３にも示すように、走行用レール１３上の保持具１５は第１の底スライド要素５とともに、家具本体２の前面から離れて位置する。中間レール１２はまた家具本体２の前にほぼ位置して、上スライド要素６へのアクセスが確実になる。
【００２２】
スライディングアセンブリ４が閉位置に戻されると、ユーザは上向きに突出した駆動要素７を閉方向に単に押し、２つの引き出しガイド１０は自動的に閉方向に動く。閉位置に達する前であって、図１に示す閉位置に自己引込み機構が達するまでに、自己引込み装置２０は一体化されたダンパを介して随意に減速する。
【００２３】
図７は、スライディングアセンブリ４の最大展開位置を平面図で示す。第１の底スライド要素５は第２の上スライド要素６の前に完全に位置して、上からのアクセスが容易に可能である。第１の底スライド要素５は第２の上スライド要素６よりも短く形成され、好ましくは第２の上スライド要素６の半分だけに形成されるのが好ましく、家具本体２内の全体空間は例えば冷蔵庫におけるコンプレッサの使用である、他の目的に使用され得る。第２の上スライド要素６は家具本体２の前に６０％以上、特に７０％以上配置され、要素は簡単に取り外される。第１の底スライド要素５は保持具１５を逆向きに取り付けるべく、両側に特に形成された縁領域５０を備え、該縁領域は保持具１５の形状に対応する。第２の上スライド要素６は接続ロッド１６上に置かれて、破線で示される底側の突起６０が各々接続ロッド１６の両側に配置され、ロッド上の上スライド要素６の側方へのスリップ及び傾き動作を確保する。この点において、突起６０間の互いの距離は底側から頂側へ向けて小さくなり、突起６０の接続ロッド１６へのスムーズな係合が一方では可能となり、他方では突起６０と接続ロッド１６間の連結接続が挿入端部位置にて存在する。
【００２４】
保持具はスライド要素５、６の少なくとも１つ用に環状のフレーム又は板として形成され得る。或いはスライド要素５、６はまた、スライド要素が引き出しガイド１０に直に固定される結果として、スライド要素自体が保持具であってもよい。スライド要素５、６が引き出しガイド１０に堅固に接続されることも可能である。
示された実施形態では、スライディングアセンブリ４は冷凍装置に用いられる。スライド要素を他の目的、例えば皿洗い機又は引き出し温め器のような家具要素又は他の家庭用器具に用いることも可能である。
【符号の説明】
【００２５】
１    家庭用器具
２    家具本体
３    側壁
４    スライディングアセンブリ
５    スライド要素
６    スライド要素
７    駆動要素
１０  引き出しガイド
１１  ガイドレール
１２  中間レール
１３  走行用レール
１４  取付けブラケット
１５  保持具
１６  接続ロッド
２０  自己引込み装置
２１  偏位プーリ
２２  偏位プーリ
２３  ケーブル引き具
２４  接続要素
２５  部分
２６  端部
２７  部分
２８  端部
３０  接続要素
５０  縁領域
６０  突起
７０  脚部
７１  接続要素
【図１】
0006606106.tif 000002
【図２】
0006606106.tif 000003
【図３】
0006606106.tif 000004
【図４Ａ】
0006606106.tif 000005
【図４Ｂ】
0006606106.tif 000006
【図４Ｃ】
0006606106.tif 000007
【図４Ｄ】
0006606106.tif 000008
【図５Ａ】
0006606106.tif 000009
【図５Ｂ】
0006606106.tif 000010
【図５Ｃ】
0006606106.tif 000011
【図６Ａ】
0006606106.tif 000012
【図６Ｂ】
0006606106.tif 000013
【図６Ｃ】
0006606106.tif 000014
【図７】
0006606106.tif 000015